(57)【要約】【課題】軽量で、組み立てや折り畳み・分解が容易で、折り畳み時や分解時にコンパクトな棚を実現する手段を提供する。【解決手段】棚用フレーム１は、第１の支柱１１と、第２の支柱１２と、第３の支柱１３と、第１のアーム１４と、第２のアーム１５と、発光ダイオード１６と、電線１７と、電線１８とを備えている。第１のアーム１４および第２のアーム１５は、第１の支柱１１の長手方向を軸として回動することが可能であり、その結果として棚用フレーム１は略一つの平面内に各要素を折り畳むことが可能であり、棚用フレーム１の持ち運びに便利である。また、各支柱の素材としてアクリルを採用することによって、当該支柱に圧迫感や存在感がないため陳列される物品を見やすくする。また、当該アクリルの円筒の中空部に配置された発光ダイオード１６が陳列される物品に照明を当てる。その結果として当該陳列される物品の魅力が際立つことになる。【選択図】図１
2013005914.tif 000002
【特許請求の範囲】
【請求項１】
垂直方向に起立する棒状体である第１の支柱と、
垂直方向に起立する棒状体である第２の支柱と、
垂直方向に起立する棒状体である第３の支柱と、
前記第１の支柱と前記第２の支柱との間を水平方向に橋渡しするようにして前記第１の支柱と前記第２の支柱との各々に連結され、棚板を下方から支持する棒状体である第１のアームと、
前記第１の支柱と前記第３の支柱との間を水平方向に橋渡しするようにして前記第１の支柱と前記第３の支柱との各々に連結され、棚板を下方から支持する棒状体である第２のアームと
を備え、
前記第１の支柱と前記第１のアームとの連結は、前記第１の支柱の長手方向を軸とする軸周りに回動可能な連結である
棚用フレーム。
【請求項２】
自器具と同じ構造を備える棚用フレームを他の棚用フレームとする時、
前記第１の支柱は上端部および下端部の少なくとも一方に、前記他の棚用フレームの前記第１乃至第３の支柱のいずれかの下端部もしくは上端部と係合し、前記第１の支柱と前記他の棚用フレームの前記第１乃至第３の支柱のいずれかとを１本の支柱となるように連結する第１の係合部を備え、
前記第２の支柱は上端部および下端部の少なくとも一方に、前記他の棚用フレームの前記第１乃至第３の支柱のいずれかの下端部もしくは上端部と係合し、前記第２の支柱と前記他の棚用フレームの前記第１乃至第３の支柱のいずれかとを１本の支柱となるように連結する第２の係合部を備え、
前記第３の支柱は上端部および下端部の少なくとも一方に、前記他の棚用フレームの前記第１乃至第３の支柱のいずれかの下端部もしくは上端部と係合し、前記第３の支柱と前記他の棚用フレームの前記第１乃至第３の支柱のいずれかとを１本の支柱となるように連結する第３の係合部を備える
請求項１に記載の棚用フレーム。
【請求項３】
前記第１の支柱は、円筒形状の下側支柱と、円筒形状の上側支柱とを有し、
前記上側支柱は、前記上側支柱の外側面が前記下側支柱の内側面に接触するように前記下側支柱の中空部に嵌合され、
前記上側支柱が前記下側支柱に嵌合された状態において、前記上側支柱の一部は前記下側支柱から上方向に突出し、
前記第１のアームは、前記第１のアームの前記第１の支柱に連結される側の端部に、上下方向に開口した円筒形状の連結部を有し、
前記連結部は、前記連結部の中空部に前記上側支柱の前記上方向に突出している部分を収容しつつ、前記連結部の円筒形状の下端面が前記下側支柱の上端面上に載置される
請求項１または２に記載の棚用フレーム。
【請求項４】
前記第１のアームの前記第１の支柱に対する回動に伴い前記第１のアームの長手方向と前記第２のアームの長手方向との間の角度が所定の角度となった状態において、前記第１のアームの一部と前記第２のアームの一部とが互いに対向しつつ接することにより、前記第１のアームの前記第１の支柱に対する回動の範囲が規制される
請求項１乃至３のいずれかに記載の棚用フレーム。
【請求項５】
前記第１乃至第３の支柱の少なくともいずれかは、所定値以上の光透過度を有する透明もしくは半透明の素材でできた壁面により形成される中空部を有し、
前記透明もしくは半透明の素材でできた壁面により形成される中空部の内部に配置され、電源からの電力の供給に伴い発光する発光部を備える
請求項１乃至４のいずれかに記載の棚用フレーム。
【請求項６】
前記第１乃至第３の支柱の少なくともいずれかは、所定値以上の光透過度を有する透明もしくは半透明の素材でできた壁面により形成される中空部を有し、
前記透明もしくは半透明の素材でできた壁面により形成される中空部の内部に配置され、電源からの電力の供給に伴い発光する発光部を備え、
前記第１乃至第３の係合部のいずれかを介した前記他の棚用フレームとの係合に伴い、前記他の棚用フレームの前記発光部と電気的に接続され、前記電源と自器具の前記発光部とを含む回路とは並列に、前記電源と前記他の棚用フレームの前記発光部とを含む回路を形成する電線を備える
請求項２に記載の棚用フレーム。
【発明の詳細な説明】
【技術分野】
【０００１】
本発明は、展示物などを載置する棚用のフレームに関する。
【背景技術】
【０００２】
展示会などにおいて使用される物品陳列棚としては、従来から多くのアイデアがある。
【０００３】
特許文献１において開示される展示棚は、組み立てられた棚ユニットを積み上げることにより簡単かつ迅速に作製することが可能であり、また折り畳み状態ではコンパクトに搬送できる。
【０００４】
また、特許文献２において開示される展示棚は、段ボール製であり、迅速かつ簡単に組み立てることができ、また使用しない場合には簡単に二つ折りに折り畳むことができる。
【先行技術文献】
【特許文献】
【０００５】
【特許文献１】特開２００４−１６３７７
【特許文献２】特開２００１−１４９１９０
【発明の概要】
【発明が解決しようとする課題】
【０００６】
ところで、一時的な展示会において物品を陳列する場合のように、軽量で持ち運びが便利であるとともに、その組み立ておよび折り畳みや分解が容易かつ迅速に行える棚に対するニーズがある。
【０００７】
そのような場合、陳列されるスペースや陳列される物品も展示会毎に異なる可能性があり、多様な配置に対応可能な棚であることが望ましい。
【０００８】
そこで、本発明は、軽量で、組み立てや折り畳み・分解が容易で、折り畳み時や分解時にコンパクトな棚を実現する手段を提供することを目的とする。
【課題を解決するための手段】
【０００９】
本発明は、上記の目的に鑑みて想到されたものであり、
垂直方向に起立する棒状体である第１の支柱と、
垂直方向に起立する棒状体である第２の支柱と、
垂直方向に起立する棒状体である第３の支柱と、
前記第１の支柱と前記第２の支柱との間を水平方向に橋渡しするようにして前記第１の支柱と前記第２の支柱との各々に連結され、棚板を下方から支持する棒状体である第１のアームと、
前記第１の支柱と前記第３の支柱との間を水平方向に橋渡しするようにして前記第１の支柱と前記第３の支柱との各々に連結され、棚板を下方から支持する棒状体である第２のアームと
を備え、
前記第１の支柱と前記第１のアームとの連結は、前記第１の支柱の長手方向を軸とする軸周りに回動可能な連結である
棚用フレームを提供する（第１の実施態様）。
【００１０】
また、上記の第１の実施態様において、
自器具と同じ構造を備える棚用フレームを他の棚用フレームとする時、
前記第１の支柱は上端部および下端部の少なくとも一方に、前記他の棚用フレームの前記第１乃至第３の支柱のいずれかの下端部もしくは上端部と係合し、前記第１の支柱と前記他の棚用フレームの前記第１乃至第３の支柱のいずれかとを１本の支柱となるように連結する第１の係合部を備え、
前記第２の支柱は上端部および下端部の少なくとも一方に、前記他の棚用フレームの前記第１乃至第３の支柱のいずれかの下端部もしくは上端部と係合し、前記第２の支柱と前記他の棚用フレームの前記第１乃至第３の支柱のいずれかとを１本の支柱となるように連結する第２の係合部を備え、
前記第３の支柱は上端部および下端部の少なくとも一方に、前記他の棚用フレームの前記第１乃至第３の支柱のいずれかの下端部もしくは上端部と係合し、前記第３の支柱と前記他の棚用フレームの前記第１乃至第３の支柱のいずれかとを１本の支柱となるように連結する第３の係合部を備える
構成を採用してもよい（第２の実施態様）。
【００１１】
また、上記の第１または２の実施態様において、
前記第１の支柱は、円筒形状の下側支柱と、円筒形状の上側支柱とを有し、
前記上側支柱は、前記上側支柱の外側面が前記下側支柱の内側面に接触するように前記下側支柱の中空部に嵌合され、
前記上側支柱が前記下側支柱に嵌合された状態において、前記上側支柱の一部は前記下側支柱から上方向に突出し、
前記第１のアームは、前記第１のアームの前記第１の支柱に連結される側の端部に、上下方向に開口した円筒形状の連結部を有し、
前記連結部は、前記連結部の中空部に前記上側支柱の前記上方向に突出している部分を収容しつつ、前記連結部の円筒形状の下端面が前記下側支柱の上端面上に載置される
構成を採用してもよい（第３の実施態様）。
【００１２】
また、上記の第１乃至３のいずれかの実施態様において、
前記第１のアームの前記第１の支柱に対する回動に伴い前記第１のアームの長手方向と前記第２のアームの長手方向との間の角度が所定の角度となった状態において、前記第１のアームの一部と前記第２のアームの一部とが互いに対向しつつ接することにより、前記第１のアームの前記第１の支柱に対する回動の範囲が規制される
構成を採用してもよい（第４の実施態様）。
【００１３】
また、上記の第１乃至４のいずれかの実施態様において、
前記第１乃至第３の支柱の少なくともいずれかは、所定値以上の光透過度を有する透明もしくは半透明の素材でできた壁面により形成される中空部を有し、
前記透明もしくは半透明の素材でできた壁面により形成される中空部の内部に配置され、電源からの電力の供給に伴い発光する発光部を備える
構成を採用してもよい（第５の実施態様）。
【００１４】
また、上記の第２の実施態様において、
前記第１乃至第３の支柱の少なくともいずれかは、所定値以上の光透過度を有する透明もしくは半透明の素材でできた壁面により形成される中空部を有し、
前記透明もしくは半透明の素材でできた壁面により形成される中空部の内部に配置され、電源からの電力の供給に伴い発光する発光部を備え、
前記第１乃至第３の係合部のいずれかを介した前記他の棚用フレームとの係合に伴い、前記他の棚用フレームの前記発光部と電気的に接続され、前記電源と自器具の前記発光部とを含む回路とは並列に、前記電源と前記他の棚用フレームの前記発光部とを含む回路を形成する電線を備える
構成を採用してもよい（第６の実施態様）。
【発明の効果】
【００１５】
本発明の第１の実施態様にかかる棚用フレームによれば、軽量かつ折り畳み・分解が容易であるため持ち運びが便利な棚が実現される。
【００１６】
また、本発明の第２の実施態様にかかる棚用フレームによれば、当該棚用フレームを上方向に接いでいくことができるので、当該棚用フレームの多様な組み合わせが可能となり、その結果として陳列される物品の多様な配置が可能となる。
【００１７】
また、本発明の第３の実施態様にかかる棚用フレームによれば、支柱に対するアーム回動が簡易な構造によって実現され、その結果として折り畳み可能な棚用フレームが軽量かつ低コストで製造可能であり、支柱とアームの組み立て・分解も容易である。
【００１８】
また、本発明の第４の実施態様にかかる棚用フレームによれば、支柱を中心とした一方のアームと他方のアームとの開く角度の範囲がアームの形状によって規制されるため、アーム間の角度が不用意に開き過ぎたり狭くなり過ぎたりすることで棚がバランスを崩し倒れる、といった危険性が低減される。
【００１９】
また、本発明の第５の実施態様にかかる棚用フレームによれば、支柱内に配置された発光部から発せられる光により陳列される物品が明るく照らされるため、当該物品の魅力を際立たせることができる。また棚自体も光により装飾され、外観上望ましい。
【００２０】
また、本発明の第６の実施態様にかかる棚用フレームによれば、棚用フレームのユニットを上方向に接いだ場合に、各々の棚用フレームの中空部に配置されている発光部が並列の回路によって電気的に接続されるので、棚用フレームを何段に接いでも発光部から照射される光量の衰えが生じないと同時に、１つの電源から格段の発光部に対し電力が供給されるため、配線が簡素化される。
【図面の簡単な説明】
【００２１】
【図１】図１は、本発明の一実施例にかかる棚用フレームの外観を示す概略図である。
【図２】図２は、本発明の一実施例にかかる棚用フレームの連結部付近を示す概略図である。
【図３】図３は、本発明の一実施例にかかる棚用フレームの内部に設けられる発光ダイオードを含む回路の電気的接続を示す概略図である。
【図４】図４は、本発明の一実施例にかかる組み立てられた棚用フレームの一例の外観を示す概略図である。
【図５】図５は、本発明の他の実施例にかかる棚用フレームの外観を示す概略図である。
【図６】図６は、本発明の一実施例にかかる棚用フレームの一使用方法を示す概略図である。
【図７】図７は、本実施例の一実施例の変形例にかかる棚用フレームの連結部付近を示す概略図である。
【発明を実施するための形態】
【００２２】
（実施例）
以下、本発明の一具体例である実施例を、図面を用いて説明する。
【００２３】
図１は、本実施例にかかる棚用フレーム１の外観を示す概略図である。図２は、本実施例にかかる棚用フレーム１の連結部付近を示す概略図である。
【００２４】
棚用フレーム１は、第１の支柱１１と、第２の支柱１２と、第３の支柱１３と、第１のアーム１４と、第２のアーム１５とを備えている。
【００２５】
第１の支柱１１、第２の支柱１２および第３の支柱１３は、使用時において垂直方向に起立する棒状体である。
【００２６】
第１の支柱１１は、アクリル製の円筒である下側支柱１１１と、下側支柱１１１の内側面に接触しつつ固定されるアクリル製の円筒である上側支柱１１２と、後述するように所定の隙間を埋めるアクリル製の円筒である中間支柱１１３とを有する。
【００２７】
下側支柱１１１は、例えば長手方向の長さが４５０ミリメートル、外径が３２ミリメートル、内径が２４ミリメートルの細長いアクリル製の円筒である。上側支柱１１２は、例えば長手方向の長さが１１５ミリメートル、外径が２４ミリメートル、内径が１６ミリメートルのアクリル製の円筒である。
【００２８】
上側支柱１１２の下側の４５ミリメートルの部分は、下側支柱１１１の内側に嵌合されている。その結果、上側支柱１１２の上側の７０ミリメートルが下側支柱１１１から上方向に突出している。
【００２９】
中間支柱１１３は、例えば長手方向の長さが４０ミリメートル、外径が２７．５ミリメートル、内径が２４ミリメートルのアクリル製の円筒である。中間支柱１１３は、その中空部に上側支柱１１２を収容するように上側支柱１１２と嵌合しつつ下側支柱１１１の上端面上に載置されている。
【００３０】
第２の支柱１２は、アクリル製の円筒である下側支柱１２１と、下側支柱１２１の内側面に接触しつつ固定されるアクリル製の円筒である上側支柱１２２と、所定の隙間を埋めるアクリル製の円筒である中間支柱１２３とを有する。
【００３１】
第２の支柱１２の構造は、上述した第１の支柱１１の構造と比べ、中間支柱１２３の外径が２８ミリメートルである点を除き同じである。
【００３２】
第３の支柱１３は、アクリル製の円筒である下側支柱１３１と、下側支柱１３１の内側面に接触しつつ固定されるアクリル製の円筒である上側支柱１３２と、所定の隙間を埋めるアクリル製の円筒である中間支柱１３３とを有する。
【００３３】
第３の支柱１３の構造は、上述した第１の支柱１１の構造と比べ、中間支柱１２３の外径が２８ミリメートルである点を除き同じである。すなわち、第３の支柱１３の構造は、上述した第２の支柱１２と同じである。
【００３４】
第１のアーム１４および第２のアーム１５は、棚板Ｂを下方から支持する棒状体である。したがって、本実施例においては、第１のアーム１４および第２のアーム１５の上端面の床面上からの高さは、概ね同じでなければならない。
【００３５】
第１のアーム１４は、例えば木製の棒状体１４１と、棒状体１４１の長手方向の一方の端部に取り付けられたアルミ製の２個の円筒１４２と、棒状体１４１の長手方向の他方の端部に取り付けられたアルミ製の１個の円筒１４３とを有している。２個の円筒１４２の各々は、例えば軸方向の長さが１０ミリメートル、外径が３２ミリメートル、内径が２８ミリメートルである。また、円筒１４３は、例えば軸方向の長さが４０ミリメートル、外径が３２ミリメートル、内径が２８ミリメートルである。なお、棒状体１４１に対する円筒１４２および円筒１４３の取り付けは、円筒１４２もしくは円筒１４３の内側から外側へ貫通する皿ネジ１９の棒状体１４１に対するネジ止めにより行われる。
【００３６】
第２のアーム１５は、例えば木製の棒状体１５１と、棒状体１５１の長手方向の一方の端部に取り付けられたアルミ製の２個の円筒１５２と、棒状体１５１の長手方向の他方の端部に取り付けられたアルミ製の１個の円筒１５３とを有している。第２のアーム１５の構造は、上述した第１のアーム１４の構造と同様である。
【００３７】
上記のような構成の第１のアーム１４の円筒１４２と第２のアーム１５の円筒１５２は、上から順に、上側の円筒１４２、上側の円筒１５２、下側の円筒１４２、下側の円筒１５２と並び、それら４個の円筒が全体として１つの円筒となるように組み合わされた状態で、それらの中空部に中間支柱１１３を収容するように中間支柱１１３と嵌合しつつ下側支柱１１１の上端面上に載置されている。このように、中間支柱１１３の周りに配置された円筒１４２および円筒１５２は第１のアーム１４と第２のアーム１５を第１の支柱１１に連結する連結部として機能する。
【００３８】
このように、中間支柱１１３は、円筒１４２および円筒１５２の内径（２８ミリメートル）と上側支柱１１２の外径（２４ミリメートル）との隙間に配置されて、それらの構成要素ががたつくことを防止している。なお、中間支柱１１３の外径（２７．５ミリメートル）と円筒１４２および円筒１５２の内径（２８ミリメートル）の差である０．５ミリメートルは遊びである。
【００３９】
そのような構成を有することによって、第１のアーム１４および第２のアーム１５は、第１の支柱１１の長手方向を軸として当該軸周りに回動することが可能である。
【００４０】
また、第１のアーム１４の円筒１４３は、その中空部に中間支柱１２３を収容するように中間支柱１２３と嵌合しつつ下側支柱１２１の上端面上に載置されている。すなわち、第１のアーム１４は、第１の支柱１１と第２の支柱１２との間を水平方向に橋渡しするようにしてその両者に連結されている。
【００４１】
同様に、第２のアーム１５は、第１の支柱１１と第３の支柱１３との間を水平方向に橋渡しするようにしてその両者に連結されている。
【００４２】
上記のように第１の支柱１１、第２の支柱１２および第３の支柱１３に対し連結されて水平状態を保っている第１のアーム１４および第２のアーム１５の上に棚板Ｂを載置することにより、棚が出来上がる。そして、そのように出来上がった棚の棚板Ｂの上に置物などの陳列物を載置することができる。
【００４３】
上述の棚用フレーム１は、それを複数、上下方向に接ぐことにより、複数段の棚板を備える棚に拡張することができる。以下、棚用フレーム１を２つ用いて、２段の棚を組み立てる場合に関し説明する。なお、以下の説明において、２つ目の棚用フレーム１を１つ目の棚用フレーム１と区別するために、棚用フレーム１’と記載する。同様に、棚用フレーム１’の構成要素を棚用フレーム１の構成要素と区別するために、例えば第１の支柱１１’のように記載する。
【００４４】
棚用フレーム１の第１の支柱１１は上端部に、棚用フレーム１’の第１の支柱１１’の下端部と係合する第１の上方係合部を有する。一方、棚用フレーム１’の第１の支柱１１’は下端部に、棚用フレーム１の第１の支柱１１の上端部と係合する第１の下方係合部を有する。第１の支柱１１の第１の上方係合部と第１の支柱１１’の第１の下方係合部とが互いに係合することで、第１の支柱１１と第１の支柱１１’とは互いに連結され１本の支柱となる。
【００４５】
より具体的には、第１の支柱１１の上側支柱１１２の上端部（軸方向において３０ミリメートル）が、第１の支柱１１’の下側支柱１１１’の下端部（軸方向において３０ミリメートル）に収容されるように嵌合されることにより、係合が行われる。すなわち、上側支柱１１２の上端部が上述の第１の上方係合部を構成し、下側支柱１１１’の下端部が上述の第１の下方係合部を構成する。
【００４６】
同様に、第２の支柱１２の上端部が第２の上方係合部を構成し、第２の支柱１２’の下端部が第２の下方係合部を構成し、それらが互いに係合することで第２の支柱１２と第２の支柱１２’が連結され１本の支柱となる。
【００４７】
さらに同様に、第３の支柱１３の上端部が第３の上方係合部を構成し、第３の支柱１３’の下端部が第３の下方係合部を構成し、それらが互いに係合することで第３の支柱１３と第３の支柱１３’が連結され１本の支柱となる。
【００４８】
上記のように棚用フレーム１および棚用フレーム１’が３本の支柱の連結により互いに連結されることで、２段の棚板を載せることの可能な棚用フレームが完成する。なお、上記のように連結された棚用フレーム１と棚用フレーム１’とは、例えば、第１の支柱１１’乃至第３の支柱１３’を各々、第１の支柱１１乃至第３の支柱１３から引き抜くことで、容易に分解することができる。
【００４９】
ところで、上述のように、第１のアーム１４および第２のアーム１５は、第１の支柱１１に対して回動可能であるために、第１のアーム１４の長手方向と第２のアーム１５の長手方向とが略同じ方向を向いている閉状態および第１のアーム１４の長手方向と第２のアーム１５の長手方向とが第１の支柱１１を中心として所定の角度を有する開状態を実現することができる。
【００５０】
閉状態においては、棚用フレーム１の上述の各構成要素が概ね１つの平面内に収まる。この状態の棚用フレーム１は、その体積が小さく、持ち運びや収納に便利である。
【００５１】
さらに、円筒１４２および円筒１５２を第１の支柱１１から、円筒１４３を第２の支柱１２から、円筒１５３を第３の支柱１３から各々引き抜くことで、第１の支柱１１、第２の支柱１２および第３の支柱１３と第１のアーム１４および第２のアーム１５とを容易に分解することができる。そのように分解された棚用フレーム１は、５本の棒状体となるため、例えばそれらを束ねることでコンパクトにすることができ、持ち運びや収納においてより便利である。
【００５２】
一方、開状態においては、棚用フレーム１が床面上において自立することが可能であり、上から見た場合に第１のアーム１４の長手方向と第２のアーム１５の長手方向とが所定の角度を有する。当該所定の角度が実現され得る範囲は、第１のアーム１４および第２のアーム１５における第１の支柱１１と係合している側の部分の形状によって規制されることになる。
【００５３】
より具体的には、第１のアーム１４の一部と第２のアーム１５の一部とが互いに対向しつつ接する状態が、第１のアーム１４および第２のアームの回動の限界となり、それ以上の角度で開くことはできなくなる。
【００５４】
本実施例においては、図１および２に示されるように、第１のアーム１４の長手方向および第２のアーム１５の長手方向の第１の支柱１１を中心とした角度の最大値は例えば９０度である。
【００５５】
また、棚用フレーム１は、発光ダイオード１６と、発光ダイオード１６を電源Ｅと電気的に接続し回路を形成する２本一対の電線１７および２本一対の電線１８とを備えている。図３は、棚用フレーム１の内部に設けられる発光ダイオード１６を含む回路の電気的接続を模式的に示す概略図である。
【００５６】
２本一対の電線１７の各々は、その一方の端子１７１において電源Ｅの正極および負極に接続されている。また、電線１７の各々の他方の端部は発光ダイオード１６の正極および負極に接続されている。これにより、電線１７を介した電源Ｅと発光ダイオード１６とを含む回路が構成されている。
【００５７】
第１の支柱１１、第２の支柱１２および第３の支柱１３は上述したようにアクリル製の円筒であり、それらの内部には１以上の発光ダイオード１６が設けられている。発光ダイオード１６は、アクリルを透過して棚用フレーム１の上に載置された陳列物に照明を当てることで、当該陳列物の魅力を高める効果を有する。
【００５８】
また、棚用フレーム１の上に棚用フレーム１’を係合させるような場合には、棚用フレーム１と棚用フレーム１’との係合に伴い、電源Ｅと棚用フレーム１’の有する発光ダイオード１６’とが、棚用フレーム１の有する電線１７および電線１８と、棚用フレーム１’の有する電線１７’によって電気的に接続される。
【００５９】
具体的には、図３に模式的に示されるように、棚用フレーム１の２本一対の電線１８の各々の一方の端部は、２本一対の電線１７の各々に接続されている。また、２本一対の電線１８の他方の端部に各々設けられた２個一対の端子１８１は、第１の支柱１１の上端部外側に配置され、第１の支柱１１の第１の支柱１１’に対する係合に伴い、第１の支柱１１’の下端部内側に配置された２個一対の端子１７１’と電気的に接続されるように構成されている。そのため、第１の支柱１１と第１の支柱１１’が係合されると、棚用フレーム１’の発光ダイオード１６’の正極および負極が、電線１７、電線１８および電線１７’を介して電源Ｅに接続され、電源Ｅと発光ダイオード１６’とを含む回路が形成される。
【００６０】
なお、電源Ｅと発光ダイオード１６とを含む回路と、電源Ｅと発光ダイオード１６’を含む回路とは並列に接続されるため、複数の棚用フレーム１を多段に積み重ねても、発光ダイオード１６、発光ダイオード１６’等から発光される光の強さが弱まることはない。
【００６１】
以上のように構成される棚用フレーム１の使用方法の一例について、以下に説明する。
【００６２】
棚用フレーム１を８個用意する。それらの各々を、棚用フレーム１−１、棚用フレーム１−２、棚用フレーム１−３、棚用フレーム１−４、棚用フレーム１−５、棚用フレーム１−６、棚用フレーム１−７、棚用フレーム１−８とする。
【００６３】
そして、棚用フレーム１−１の上に第１の係合部、第２の係合部および第３の係合部を介して棚用フレーム１−２を係合させる。同様に、さらにその上に、棚用フレーム１−３および棚用フレーム１−４を係合させて４段にする。
【００６４】
次に、棚用フレーム１−５の上に第１の係合部、第２の係合部および第３の係合部を介して棚用フレーム１−６を係合させる。同様に、さらにその上に、棚用フレーム１−７および棚用フレーム１−８を係合させて４段にする。
【００６５】
それら２つの４段の棚用フレームを所定の位置に配置する。そして、１段ごとに棚板Ｂ−１、棚板Ｂ−２、棚板Ｂ−３および棚板Ｂ−４を置いていく。ちなみに、棚板の奥行きは約４５センチメートルが好適である。
【００６６】
図４は、以上のようにして組み立てられた棚用フレームおよび棚板の外観を示す概略図である。
【００６７】
当該棚用フレームは、軽量で折り畳みも可能であるため持ち運びが容易なので、展示会などのイベントに最適である。
【００６８】
また、上述したアクリルパイプが透明である場合、圧迫感や存在感がなく展示するものを見やすくする。
【００６９】
（第２実施例）
以下、上述の第１実施例とは異なる本発明の一具体例である第２実施例を、図面を用いて説明する。
【００７０】
なお、以下の記述においては、第１実施例と異なる点を中心に説明し、また共通の要素については同様の符号を付するものとする。
【００７１】
図５は、第２実施例にかかる棚用フレーム２の外観を示す概略図である。
【００７２】
棚用フレーム２は、自立した状態で上から見てＷのように見える。
【００７３】
第１実施例と比較すると、Ｗの内側の３つの支柱（第１の支柱２１、第２の支柱２２および第３の支柱２３）が第１実施例の第１の支柱１１と同様の構造を有しており、Ｗの外側の２つの支柱（第４の支柱２４および第５の支柱２５）が第１実施例の第２の支柱１２もしくは第３の支柱１３と同様の構造を有している。
【００７４】
ただし、本実施例においては、第１のアーム２６と第３のアーム２８とが異なる高さで第２の支柱２２に取り付けられており、また第２のアーム２７と第４のアーム２９とが異なる高さで第３の支柱２３に取り付けられている。
【００７５】
そして、概ね同じ高さに配置される第１のアーム２６と第２のアーム２７とによって一段の棚板Ｂが下方から支持され、同様に概ね同じ高さに配置される第３のアーム２８と第４のアーム２９とによってもう一段の棚板Ｂ’が下方から支持されている。
【００７６】
（変形例）
上述した実施例は、本発明の技術的思想の範囲内で様々に変形が可能である。
【００７７】
例えば、棚用フレーム１は、発光ダイオード１６と、電源Ｅおよび発光ダイオード１６を含む回路を形成するための電線１７、さらに棚用フレーム１に連結される棚用フレーム１’の発光ダイオード１６’に対し電力を供給するための電線１８とを備えているものとしたが、本発明はこれに限られるものではない。したがって、特に問題がなければ、それらの構成要素は設けられなくてもよい。
【００７８】
また、棚用フレーム１の各要素を特定する形状、数値および素材は、あくまでも一例であって他のいかなる形状、数値、もしくは素材が用いられてもよい。例えば、第１の支柱１１などは、アクリル製であるものとしたが、アクリル以外の合成樹脂製であってもよく、また木などの天然素材によって作られていてもよい。
【００７９】
また、第１の支柱１１は、円筒である下側支柱１１１と、下側支柱１１１の内側面に接触しつつ固定される円筒である上側支柱１１２と、所定の隙間を埋める円筒である中間支柱１１３とを有するものとしたが、本発明はこれに限られるものではない。したがって、下側支柱１１１、上側支柱１１２および中間支柱１１３はいかなる構成によって配置されていてもよいし、例えばこれらが一体に形成されてもよい。さらに、特に問題がなければこれらの要素は他の形状の構成要素で代替されてもよい。
【００８０】
また、上述した実施例においては、第１のアーム１４および第２のアーム１５の両方が第１の支柱１１に対し回動可能であるものとしたが、第１のアーム１４および第２のアーム１５のいずれか一方のみが第１の支柱１１に対し回動可能であってもよい。
【００８１】
また、上述した実施例においては、第１のアーム１４および第２のアーム１５の第１の支柱１１に対する回動可能な連結の方法として、円筒形状の第１の支柱１１の周りに円筒１４２および円筒１５２を嵌め合わせる方法が採用されるものとしたが、他のいかなる機構によって回動可能な連結が実現されてもよい。
【００８２】
また、第１のアーム１４は、例えば木製の棒状体１４１と、棒状体１４１の長手方向の一端に取り付けられたアルミ製の２個の円筒１４２とを有しており、棒状体１４１とアルミ製の円筒１４２とは皿ネジ１９によって止められているものとしたが、本発明はこれに限られるものではない。したがって、アルミ製の円筒１４２の数は２個に限られず、また皿ネジ１９以外の手段によって棒状体１４１とアルミ製の円筒１４２が固定されていてもよい。棒状体１４１と円筒１４３との固定に関しても同様である。さらに、これらの点は、第２のアーム１５に関しても同様である。
【００８３】
また、第１のアーム１４の長手方向および第２のアーム１５の長手方向の第１の支柱１１を中心とした角度の最大値は９０度であるものとしたが、本発明はこれに限られず、９０度よりも小さいもしくは大きい数値が採用されてもよい。
【００８４】
また、第１の支柱１１、第２の支柱１２および第３の支柱１３は上述したようにアクリル製の円筒でありそれらの内部には１以上の発光ダイオード１６が設けられているものとしたが、発光ダイオード１６は蛍光灯もしくは白熱電球などの他の方式による発光部によって代替されてもよい。
【００８５】
また、上述した棚用フレーム１の使用方法は、あくまでも一例であってその他のいかなる方法によって使用されてもよい。例えば、図６に示されるように、２つの棚用フレーム１を第１の支持柱１１が接触するように向かい合わせれば、棚板Ｂの奥行きを倍にすることができて好都合である。
【００８６】
また、上述の実施例において、第１のアーム１４と第２のアーム１５は棚用フレーム１の分解時に容易に分離可能な構造としたが、本発明はこれに限られるものではない。すなわち、第１のアーム１４と第２のアーム１５を、第１の支柱１１に対する連結の方向を軸に回動可能に、分離困難に連結する構造が採用されてもよい。図７は、そのような構造の第１のアーム１４と第２のアーム１５の連結部の例を示した図である。
【００８７】
図７に例示の連結部は、上述の実施例における第１のアーム１４の２個の円筒１４２に代えて用いられる２個１組の回転部材１４４と、上述の実施例における第２のアーム１５の２個の円筒１５２に代えて用いられる２個１組の回転部材１５４とを有している。なお、回転部材１４４が皿ネジ１９により棒状体１４１に連結され、回転部材１５４が皿ネジ１９により棒状体１５１に連結される点は、上述の実施例と同様である。
【００８８】
合計４個のリング状の回転部材１４４と回転部材１５４は、上側の回転部材１４４、上側の回転部材１５４、下側の回転部材１４４、下側の回転部材１５４、の順に段々に積み重ねられ、互いに連結されて、全体として１つの円筒形状となる。各回転部材は、隣接する他の回転部材に対し、円筒形状の軸周りに自在に回動可能である。そのような回動可能な連結を実現するために、上側の回転部材１４４を除く３つの回転部材の上端面上には、上方に突起する２個の爪部１４４１もしくは爪部１５４１が設けられている。また、下側の回転部材１５４を除く３つの回転部材の内側面下方には、軸周り全周に渡り、爪部１４４１もしくは爪部１５４１が回転部材の下方から挿入された際にそれらと嵌合する形状の凹部である爪受け止め部１４４２もしくは１５４２が設けられている。
【００８９】
上記のような構造を備える回転部材１４４および回転部材１５４を互いに爪部１４４１もしくは爪部１５４１および爪受け止め部１４４２もしくは１５４２により連結されることにより、上述した４つの回転部材１４４および回転部材１５４の自在な回動が可能となる。
【００９０】
上記のような構成の連結部を採用することで、第１のアーム１４と第２のアーム１５が第１の支柱１１から取り外されても、それらが容易に分離せず、それらの開閉のみが可能となる。その結果、分解した棚用フレーム１をコンパクトにできる、という上記の実施例のメリットを損なうことなく、部品点数が減る結果、ユーザにとって棚用フレーム１の組み立てや分解がより容易になる。
【産業上の利用可能性】
【００９１】
本発明の棚用フレームは、軽量であるとともに折り畳みや分解が可能で利便性が高く、また発光ダイオードによる照明が陳列物の魅力を増すため、多くの展示会などで使用され得る。そのため、大量に製造・販売され、いわゆる製造業や小売業などのサービス業において利用可能である。
【符号の説明】
【００９２】
１…棚用フレーム、１１…第１の支柱、１１１…下側支柱、１１２…上側支柱、１１３…中間支柱、１２…第２の支柱、１２１…下側支柱、１２２…上側支柱、１２３…中間支柱、１３…第３の支柱、１３１…下側支柱、１３２…上側支柱、１３３…中間支柱、１４…第１のアーム、１４１…棒状体、１４２…円筒、１４３…円筒、１４４…回転部材、１４４１…爪部、１４４２…爪受け止め部、１５…第２のアーム、１５１…棒状体、１５２…円筒、１５３…円筒、１５４…回転部材、１５４１…爪部、１５４２…爪受け止め部、１６…発光ダイオード、１７…電線、１７１…端子、１８…電線、１８１…端子、１９…皿ネジ、２…棚用フレーム、２１…第１の支柱、２２…第２の支柱、２３…第３の支柱、２４…第４の支柱、２５…第５の支柱、２６…第１のアーム、２７…第２のアーム、２８…第３のアーム、２９…第４のアーム
【図１】
2013005914.tif 000003
【図２】
2013005914.tif 000004
【図３】
2013005914.tif 000005
【図４】
2013005914.tif 000006
【図５】
2013005914.tif 000007
【図６】
2013005914.tif 000008
【図７】
2013005914.tif 000009